(57)【要約】【目的】入賞球を利用して第２の入賞口を開閉操作する入賞装置にあって第２の入賞口の開閉動作を明確且つ安定的に行えるようにする。【構成】第２の小飛入口に前後に回動する可変扉（１４）を軸承し、可変扉の側縁部に設ける係合部（９５）に揺動自由な係止部材（８６）の係止片（９９）を臨ませる。一方前記入賞球によって揺動する連動杆（７４）と前記係止部材から延設される揺動腕（９９）とを連結して入賞球により連動杆が揺動されたとき、揺動腕（９９）を介して係止部材を回動し、前記係止片を前記係合片から外して前記可変扉を前方に倒し、前記第２の小飛入口を解放する。その一方、上記小飛入口に入賞球が入賞したとき可変扉（１４）を起立姿勢に変換して小飛入口を閉ざすと同時に前記係合片に前記係止片を係合して可変扉を閉塞状態に拘束する。そして、次の入賞球によって前記連動杆（７４）が前記係止部材を解除動作するのに備える。【選択図】図３７
2007268097.tif 000002
【特許請求の範囲】
【請求項１】
取付基板に開設される飛入口と、支軸を介して回動自由に支持され、前端部を前記飛入口を通して前方に突き出す水平姿勢と前端部を跳上げ前記飛入口の内方に引き込む起立姿勢とに変換して前記飛入口を開閉する可変扉と、可変扉の側縁部に設ける係合片に係止して可変扉を前記起立姿勢に拘束する係止部材と、係止部材の前記可変扉の拘束を解除して前記水平姿勢への変換を誘導する連動杆とを有し、
前記係止部材は支軸を支点に揺動自由に支持して延設する揺動腕を自重を利用して前記連動杆に架け止め、該揺動腕が下降位置にあるとき該係止部材に一体に備える係止片を前記可変扉の係合片に係止して可変扉を起立姿勢に拘束し、前記連動杆の上昇により前記揺動腕が跳上げられたとき前記係止片の拘束を解いて前記可変扉を水平姿勢に変換するようにしてなるパチンコ遊技機の入賞装置。
【請求項２】
請求項１の記載において、可変扉は側縁部に設ける係合片を可変扉の上面に対して垂直に起立してその前縁部を垂直縁に形成し、該可変扉が起立姿勢にあるとき、該垂直縁に係止部材の係止片を係止して可変扉の回動を拘束し、一方前記可変扉が水平姿勢にあるとき、前記係止片を前記係合片の外側面に当接して非係止状態を保持すると共に、該可変扉が起立姿勢に回動変換して前記係合片の移動に伴い前記当接状態が解除されたとき該係止片を前記係合片の垂直縁に係合するよう備えてなることを特徴としたパチンコ遊技機の入賞装置。
【請求項３】
請求項１又は２の記載において、可変扉は取付基板の背面に取付ける受枠の内部に収容して該受枠の内部で回動自由となるよう支持すると共に、水平姿勢から起立姿勢に回動変換する際に可変扉の上面に受ける入賞球を前記受枠に設ける球放出口に誘導し、放出するようにしてなることを特徴としたパチンコ遊技機の入賞装置。
【請求項４】
請求項１乃至３の記載において、可変扉は支軸による軸承位置より前端部側に重心を置いて該可変扉が常時前方に向け転倒するよう付勢し、係止部材の係止片による拘束の解除と同時に前方に転倒させて水平姿勢に自動変換するようにしたことを特徴としたパチンコ遊技機の入賞装置。
【請求項５】
請求項４の記載において、可変扉の支軸による軸承位置より前端部側に重錘を埋設して重心位置を設定することを特徴としたパチンコ遊技機の入賞装置。
【請求項６】
請求項１乃至５の記載において、可変扉の後端部に水平姿勢時に受けた入賞球を止める球受けの突片を立設し、可変扉が受ける入賞球を受け止め保持する一方、該可変扉が入賞球の重量により起立姿勢に変換したとき同時に上記入賞球を放出するようにしてなることを特徴としたパチンコ遊技機の入賞装置。
【請求項７】
取付基板に所要の間隔を置いて左右に開設される一対の飛入口と、支軸を介して回動自由に支持され、前端部をそれぞれ前記飛入口を通して前方に突き出す水平姿勢と、前端部を跳上げて前記それぞれの飛入口の内方に引き入れる起立姿勢とに変換してそれぞれの飛入口を開閉する可変扉と、可変扉の側縁部に設ける係合片に係合し可変扉を前記起立姿勢に拘束する係止部材と、係止部材の前記可変扉の拘束を解除して前記水平姿勢への変換を誘導する連動杆とを有してなり、前記各係止部材は支軸を支点に揺動自由に支持して延設する揺動腕をその自重によって下げて前記連動杆に架け止めると共に、該揺動腕が下降位置にあるとき一体に備える係止片を前記係合片に係合させて前記可変扉を起立姿勢に拘束する一方、前記連動杆の上昇により前記揺動腕が跳上げられたとき前記係止片の拘束を解いて前記可変扉を水平姿勢に変換するようにした入賞装置において、
前記対をなす左右の飛入口にそれぞれ備える可変扉には相対向する側の一側縁部に前記係合片を立設し、また前記各係止部材を前記左右の可変扉の中間に配置してその係止片を各可変扉の前記係合片に臨ませると同時に、各係止部材の揺動腕を互いに向い合わせにして該両者間に臨ませる前記連動杆に架け止るようにしたこを特徴とするパチンコ遊技機の入賞装置。
【請求項８】
請求項７の記載において、左右の可変扉を拘束するそれぞれの係止部材は各揺動腕を連動杆に対して交錯する状態で架け止め、該連動杆の上昇によって前記左右の可変扉の拘束状態を同時に解除するようにしたことを特徴としたパチンコ遊技機の入賞装置。
【発明の詳細な説明】
【技術分野】
【０００１】
本発明は、パチンコ遊技機の入賞装置に関する。
【背景技術】
【０００２】
パチンコ遊技機の入賞装置には単純に打球を受け入れるものから、打球の受け入れが可能乃至容易になったり、不可能乃至困難になったりする可変型のものまで多種多様な入賞装置が提案され、実用化されている。
本発明は、この様な入賞装置にあって可変型に係る入賞装置に関するもので、特に本発明は打球の飛入を受ける飛入口に支軸を支点に回動し、打球の飛入を可能にする姿勢と、不能にする姿勢とに変化する可変扉を備え、この可変扉を外部から取り込む動作によって打球の受け入れを可能にする姿勢と、打球の受け入れ後はこの可変扉を受け入れ不能な姿勢に変換し、同時に次の外部からの動作による受け入れ可能な姿勢への変換があるまでこの不能な姿勢に拘束し、任意な回動が規制されるようにした入賞装置に関する。
【０００３】
可変型の入賞装置の１つに所謂チューリップ型の入賞装置が知られる。このチューリップ型の入賞装置は打球の飛入を受けて左右に対立状に設ける回動片を開き、打球の飛入を容易にする一方、次に打球が飛入したとき、この入賞球によって回動片を開放状態に支持する踏板を外して左右に開いた回動片を閉じて打球の入賞を困難にするもので、自ら回動片の開閉動を操作することから自己完結型の入賞装置になっている。
【０００４】
これに対し、別の特定の入賞口に打球が入賞したことを原因にして他の入賞装置を開放し、この入賞装置に対する入賞条件を可能、乃至は緩和する構造の連動型に係る可変入賞装置が知られる。
本発明はこの連動型に係る入賞装置に関するものである。
ところで、上記可変型の入賞装置の中にも入賞条件を変化させるための回動片等を開閉する手段にソレノイド等電気的駆動手段を利用し、操作するものが多数存在する。しかし、ここで提案する入賞装置は、飛入口を開閉する手段として入賞する球の重量を利用して回動片等の開閉手段を操作する入賞装置である。
【０００５】
従来、１つの入賞装置乃至入賞口に入賞した入賞球の重量を利用して他の入賞装置乃至入賞口を開放し、この入賞装置乃至入賞口に対する入賞条件を緩和乃至入賞を可能にする装置として、例えば特許文献１に記載されるようなパチンコ遊技機の入賞玉装置が知られている。
【特許文献１】特公昭５７−１５９１９号公報。
【０００６】
上記特許文献１に記載の入賞装置は、取付基板１の中央部に第１の入賞口となる玉受口４を、その側方に第２の入賞口となる円筒枠３ａ（、３ｂ）に回転体１３ａ（、１３ｂ）を収めた第１（、第２）の変動入賞口１２ａ（、１２ｂ）を配置し、この第１の入賞口４と第２の入賞口１２ａとの間に作動レバー３０ａ（、３０ｂ）を揺動自由に渡し、更にこの作動レバー３０ａの外の揺動端と上記作動レバー３０ａとの間に可動片３６ａ（、３６ｂ）を配置したものであって、前記第１の入賞口４に入賞玉が入賞し、この玉によって前記作動レバー３０ａの内端が押し下げられたとき、これに伴って上昇する外端によって前記可動片３６ａを揺動させ、この揺動によって前記回転体１３ａの拘束を解いて第２の入賞口１２ａに対する入賞玉の入賞を可能にしたものである。
【０００７】
この入賞玉装置は上記回転体１３ａの玉受片１５ａに玉が受けられて入賞したとき、この入賞玉の重量によって回転体１３ａを回転して再び原状に復帰すると共に、この間に入賞した玉を後方に放出し次の入賞に備えるものになっている。
そして、前記作動レバー３０ａは外の端部を下げ、可動片３６ａは板カム１６ａの上面に係合して第２の入賞口、つまり玉受口１２ａを閉じることになっている。
【０００８】
この様に特許文献１に記載の入賞玉装置は、第１の入賞口（玉受口４）に入賞した玉を利用して第２の入賞口（玉受口１２ａ）を開放する構造に係るが、この第２の入賞口１２ａは円筒枠３ａの中に突軸９ａを支点に回転する回転体１３ａを備える極めて複雑な構造に係るものとなっている。更に言えば、構造の複雑さを置いても、この装置においては、閉塞した状態にあるとき蓋片１４ａがどの様にしてどの入口を塞ぐのか、また開放状態のとき、入賞玉を玉受片１５ａに受けるとされているが、この玉受片１５ａに受けたのち、どの様に誘導処理するのかは明確なものになっていない。つまり、構造に則しての説明がされていないので明らかでないが、回転体１３ａの回転によって開閉される飛入口がどの様にして玉を捕えるかが明らかでないことは、遊技者の視覚を通して確認することが困難であることを意味しており、第１の入賞口に連動する第２の入賞口を設置しながら、この第２の入賞口が演出する入賞の経過を遊技者が楽しむことができないものとなっているのである。
【発明の開示】
【発明が解決しようとする課題】
【０００９】
本発明は上述した事情に鑑みその改善をなすべく開発されたものであり、その目的とするところは、第１の入賞口に入賞する入賞球を利用して第２の入賞口を開放するように連動する関係におかれる入賞装置において、上記第２の入賞口、つまり打球の飛入口を開閉する扉を正確に制御し、迅速、且つ的確な作動を行わせると同時に、この扉の動きを遊技者に明確に視覚できるようにして入賞の瞬間を遊技者に楽しんでもらうようにした改善された入賞装置を提供しようとするものである。
【００１０】
また、本発明は前記従来技術の構造上の複雑さに鑑み、より単純な構造にして動きの単純化を図り、これによって入賞球の飛入の瞬間を明らかにし、印象付けられるようにすると共に、正確な捕球を実現して遊技者に安心感、ひいては信頼感を与えることができる入賞装置を提供しようとするものである。
【００１１】
更に、本発明は、第１の入賞口に飛入する入賞球を利用して複数個の第２の入賞口の開放操作を同時に行えるようにして入賞の機会を種々変化させ、遊技者の興趣を高められるようにした入賞装置を提供しようとするものである。
【課題を解決するための手段】
【００１２】
本発明は、上記の目的を達成するため、個別に設定される第１の飛入口と、第２の飛入口との間に連動杆を介挿し、第１の飛入口に飛入する入賞球によってこの連動杆を作動し、この連動杆の作動によって前記第２の飛入口に備える可動片を拘束する係止部材を作動して拘束状態を解除し、この可変扉を閉塞状態から開放状態に変換させ、第２の飛入口に対する打球の飛入、入賞を可能にしたことにある。
【００１３】
そして、本発明は前記可変扉を支軸を支点に前後に揺動するよう支持して、閉塞時には垂直に起立させて打球の飛入口を閉ざす一方、開放時には支軸を支点に前方に転倒させ、上記可変扉の前端部を飛入口から前方に突き出して打球の捕球を可能にするものであって、この可変扉の前後の回転を通して飛入口から出没させ、飛入口の開閉状態を明確にしたことにある。
更に本発明は、前記可変扉と連動杆によって作動される係止部材との係止関係を確実なものにして可変扉の誤作動を回避し、且つ可変扉の開放時の拘束を確実にして作動の信頼性を高めたことにある。
【００１４】
更に本発明を詳述すれば、その特徴とするところは、取付基板に開設される飛入口と、支軸を介して回動自由に支持され、前端部を前記飛入口を通して前方に突き出す水平姿勢と前端部を跳上げ前記飛入口の内方に引き込む起立姿勢とに変換して前記飛入口を開閉する可変扉と、可変扉の側縁部に設ける係合片に係止して可変扉を前記起立姿勢に拘束する係止部材と、係止部材の前記可変扉の拘束を解除して前記水平姿勢への変換を誘導する連動杆とを有してなり、前記係止部材は支軸を支点に揺動自由に支持して延設する揺動腕を自重を利用して前記連動杆に架け止め、該揺動腕が下降位置にあるとき該係止部材に一体に備える係止片を前記可変扉の係合片に係止して可変扉を起立姿勢に拘束する一方、前記連動杆の上昇により前記揺動腕が跳上げられたとき前記係止片の拘束を解いて前記可変扉を水平姿勢に変換できるよう構成したパチンコ遊技機の入賞装置を提供することにある。
【００１５】
そして本発明は、前記可変扉は側縁部に設ける係合片を可変扉の上面に対して垂直に起立してその前縁部を垂直縁に形成し、該可変扉が起立姿勢にあるとき、該垂直縁に係止部材の係止片を係止して可変扉の回動を拘束し、その一方前記可変扉が水平姿勢にあるとき、前記係止片を前記係合片の外側面に当接して非係止状態を保持すると共に、該可変扉が起立姿勢に回動変換して前記係合片の移動に伴い前記当接状態が解除されたとき該係止片を前記係合片の前縁部に係合するようにしたパチンコ遊技機の入賞装置を提供することにある。
【００１６】
また本発明は、前記可変扉は取付基板の背面に取付ける受枠の内部に収容し、該受枠の内部で回動自由となるよう支持すると共に、水平姿勢から起立姿勢に回動変換する際に可変扉の上面に受ける入賞球を前記受枠に設ける球放出口に誘導して放出するようにしたパチンコ遊技機の入賞装置を提供することにある。
【００１７】
また本発明は、前記可変扉は支軸による軸承位置より前端部側に重心を置いて該可変扉が常時前方に向け転倒するよう付勢し、係止部材の係止片による拘束の解除と同時に前方に転倒させて水平姿勢に自動変換するようにしたパチンコ遊技機の入賞装置を提供することにある。そして更に、前記可変扉の重心を設定する上で重錘を埋設した入賞装置を提供することにある。
【００１８】
また本発明は、前記可変扉の後端部に水平姿勢時に受けた入賞球を止める球受けの突片を立設して可変扉が受ける入賞球を受け止め保持する一方、この入賞球が可変扉の後端部に移動し、入賞球の重量により起立姿勢に変換したとき、同時に上記突片から入賞球を放出するようにしたパチンコ遊技機の入賞装置を提供することにある。
【００１９】
更に本発明は、取付基板に所要の間隔を置いて左右に開設される一対の飛入口と、支軸を介して回動自由に支持され、前端部をそれぞれ前記飛入口を通して前方に突き出す水平姿勢と、前端部を跳上げて前記それぞれの飛入口の内方に引き入れる起立姿勢とに変換してそれぞれの飛入口を開閉する可変扉と、可変扉の側縁部に設ける係合片に係合し可変扉を前記起立姿勢に拘束する係止部材と、係止部材の前記可変扉の拘束を解除して前記水平姿勢への変換を誘導する連動杆とを有する一方、前記各係止部材は支軸を支点に揺動自由に支持して延設する揺動腕をその自重によって下げ、前記連動杆に架け止めると共に、該揺動腕が下降位置にあるとき一体に備える係止片を前記係合片に係合させて前記可変扉を起立姿勢に拘束し、また前記連動杆の上昇により前記揺動腕が跳上げられたとき前記係止片の拘束を解いて前記可変扉を水平姿勢に変換するようにした入賞装置にあって、前記対をなす左右の飛入口にそれぞれ備える可変扉には相対向する側の一側縁部に前記係合片をそれぞれ立設し、また前記左右の可変扉の中間に前記各係止部材を配置してその係止片を各可変扉の前記係合片に臨ませると共に、各係止部材の揺動腕を互いに向い合わせにして該両者間に臨ませる前記連動杆に架け止るようにしたパチンコ遊技機の入賞装置を提供することにある。
【００２０】
そして更に本発明は、前記左右の可変扉を拘束するそれぞれの係止部材は各揺動腕を連動杆に対して交錯する状態で架け止め、該連動杆の上昇によって前記左右の可変扉の拘束状態を同時に解除するようにしたことを特徴としたパチンコ遊技機の入賞装置を提供することにある。
【００２１】
ところで、上記本発明に係る入賞装置は、取付基板に開設される飛入口に支軸を介して回動自由に支持される可変扉をこの飛入口から出没させて、飛入口の開閉状態を明らかにすること、そして開放時、即ち可変扉が水平姿勢を取って捕球を可能にするとき、その前端部を飛入口の前方に突出させて落下する打球を確実に捕球し、これを入賞球とする一方、この入賞球の捕球により可変扉を球の重量で起立姿勢に変換して前記飛入口を閉塞する動作を通してその開閉を明確にすることになる。
【００２２】
そして、上記可変扉は起立姿勢に変換することによって前記係合片の前縁部に前記係止部材の係止片を係止させ、前方への転倒、つまり水平姿勢への変換が拘束され、閉塞状態を維持することになっている。
【００２３】
係止部材は、支軸を支点に揺動自由に支持され、常には延設する揺動腕の重量によって係止部材に一体に備える前記係止片を可変扉の係合片に向けて押付けることになり、可変扉が水平姿勢にあるときにはこの係合片の側面に当接させることになる。そして、起立姿勢に転じたときはこの側面から外れて前記係合片の前縁部に達することによって前述するようにこの前縁部に係止し、可変扉の水平姿勢への転倒を拘束するのである。
【００２４】
第１の入賞口に入賞した入賞球によって作動される前記連動杆は、長さの途中を支持する支軸を支点に揺動自由に支持され、その揺動する一端を前記係止部材に臨ませ、連動する関係に置かれる。
この両者の関係は連動杆の一端と、係止部材の揺動腕が滑合することで実行される。この滑合のため連動杆の一端にはピンが用意され、揺動腕はこのピンに架け渡すようにして連結し、自重によって常時ピンに乗り掛かるように保持される。
【００２５】
この様に構成される本発明入賞装置は、第１の入賞口に打球の入賞がないとき、連動杆の端部が下昇位置にあることによって、そのピンに滑合する係止部材の揺動腕は下降し、支軸を支点にこの係止部材に備える係止片を上昇方向に付勢することになる。
このため、可変扉が水平姿勢にあるときには上記係止片が係合部の側面に当接することになり、上記係止片の上昇は抑えられることになる。そして、この状態において前記第２の飛入口（入賞口）に打球が入り、前記可変扉が支軸を支点に回転し、起立姿勢に変換すると、この回転に伴って係合片が下がり、その前縁部が前記係止片の位置に達すると、上昇を抑えられた係止片は可変扉側に突き出し、上記前縁部に係合して可変扉の水平姿勢方向への回転を拘束することになる。
【００２６】
尚、可変扉は前端部側に重心を置いて常時前方に向けて転倒するよう付勢設定されることによって係合片の前縁部に係合する係止片としっかり係合することになり、不用意に水平姿勢に変換することが避けられている。
この状態において、次に上記第１の入賞口への入賞球の飛入があり、前記連動杆が作動し、下昇位置にある端部が上昇すると、これに伴って係止部材の揺動腕が上昇し、逆に係止片が下降方向に揺動して前記係合片から後退する方向に移動することになるため、その前縁部との係合が外れて拘束が解かれ、常時前方に向けて転倒するように付勢される可変扉は、この拘束解放と同時に水平姿勢に変換し、第２の飛入口への打球の受け入れを可能にする。
【００２７】
この様にして開放した第２の飛入口に打球が飛入し、可変扉に受けられると、球は扉の上面を転がって後端部に移動し、前端部の重量よりこの後端部を重くすることから、前端部を跳上げて起立姿勢に変換し、上記上面の球を放出すると同時に、この間に係合片の側方に後退した前記係止片が揺動腕の付勢を受けて突き出してくるため自動的に係合片の前縁部に係合して再び可変扉を起立姿勢に拘束し、第２の飛入口を閉塞することになる。
【００２８】
尚、前記第１の入賞口に飛入した入賞球によって端部を上昇させ、係止部材の揺動腕を押し上げた連動杆は、この端部側に重心を置くことによって端部を上昇させたのち、直ちに下降して次の入賞球の飛入に備えることになる。
そして、この連動杆によって押上げられた係止部材の揺動腕は、前記可変扉が入賞球を受けて水平姿勢から起立姿勢に変換するまで係止片が係合片の側面に当接して、揺動が止められることから跳上がった状態に維持される。そして、次に前述したように可変扉が起立姿勢に変換したとき、同時に係止片を係合片に係合させて拘束状態に戻されることになる。
【００２９】
一方、本発明は１つの連動杆の動作を通して並設する複数個の飛入口を各開閉する可変扉の開閉を制御できるものとなっている。
前述の如く第２の飛入口となる左右隣接して設ける飛入口にそれぞれ前記可変扉を支軸を介して開閉自由に軸承し、それぞれの可変扉に設ける係合片を相対向する側縁部に立設し、同時にこれらの係合片に臨むそれぞれの係止部材を上記左右可変扉の間に設置して、その各揺動腕相互を向い合せにし、前記１つの連動杆の端部に臨ませることによって１つの連動杆により、上記左右２つの可変扉を拘束する上記係止部材を作動し、その拘束状態を解除して２つの可変扉を同時に開放状態に変換できるものとなっている。
【００３０】
この場合１つの連動杆によって作動される２つの係止部材は、独立していることから各可変扉に追随して個別に作動することになる。即ち、例えば両可変扉が水平姿勢に変換して飛入口を開放した状態にあり、この状態にあって一方の可変扉が入賞球の飛入によって起立姿勢に変換した場合、他方の可変扉は入賞球の飛入があるまで水平姿勢を維持することになる。つまり、他方の可変扉の動作に影響されることなく個別に作動し、第２の飛入口を操作することになるのである。
【発明の効果】
【００３１】
以上の如く構成される本発明によれば、連動杆によって作動される係止部材は可変扉の係合片を確実に捕えて可変扉が起立し、飛入口を閉塞するときには係止片を係合片に掛け止めて前方への転倒、即ち水平姿勢への変換を阻止することになり、また前記連動杆による開放指示に際しては揺動腕の上昇を通して係止片を係合片から外し、可変扉の転倒を許して飛入口を開放し、打球の受け入れを可能にする。
そして、このとき可変扉の転倒を許した係止部材は、係止片を係合片の側面に当接して次の係合に備えることから可変扉が起立し、飛入口を閉じたとき、確実にこの可変扉を拘束することができることになる。
【００３２】
そして、この係止部材の拘束操作において、前記可変扉は前端部を飛入口の前方に突出する水平姿勢を取ることと、垂直に起立して飛入口を閉じる姿勢を取ることの２つの形態に変化し、飛入口の開閉を明確にし、しかもこの開閉動作を打球の飛入を以てすることから遊技者に強い印象を与えることができることになる。
【００３３】
また一方、本発明入賞装置は、第２の入賞口として用意される飛入口を並列的に設置して、それぞれに備える可変扉を１つの連動杆によって操作できることから連動関係を１対１とする外、１対２とすることもでき、変化のある入賞装置を提供することができる。
次に、本発明に係る入賞装置を図示する実施例に基づき詳述し、更にその特徴とするところを明らかにする。
【発明を実施するための最良の形態】
【００３４】
添付する図面は本発明の一実施例を示したものである。図１は本発明に係る入賞装置を遊技盤に組付けた使用状態を説明する正面図であり、図２は入賞装置の前面側からの斜視図、図３は背面側からの斜視図であり、図４は入賞装置を分解した状態の前面側から見た斜視図、図５は入賞装置を分解した状態の背面側から見た斜視図である。図６及び図７は図４の一部を拡大して示した斜視図であり、図８、図９は図５の一部を拡大して示した斜視図である。
【００３５】
図面において、符号１はパチンコ遊技機に組付けられる遊技盤、２はこの遊技盤１の前面に止着したバンド、３はバンド２の囲みによって形成される遊技部４の中央部に設置した本発明に係る入賞装置である。そして、５‥‥はこの入賞装置３の下方に上下二段に配列した通常入賞口を示し、上段に５個、下段に３個の通常入賞口を配置して前記入賞装置３のいずれの飛入口にも入賞することのなかった打球がこれらの通常入賞口５に向うようにしてある。
尚、前記遊技部４には図示しないが適所にバンド２によって形成される打球誘導路６を通して打ち出される打球を受け振り分ける障害釘が植設される。
【００３６】
入賞装置３は、逆Ｔ字形をなす取付板７を中心にしてこの取付板７の中央部に開設する開口部８に背後から箱枠体９を、そして前面側から開口部８の縁を飾る前飾り枠１０を止着する。そして、取付板７の左右に延びる翼片部７ａ，７ａには並列状に２個づつの小飛入口１１を開設し、この小飛入口１１の前面に打球を受けるポケット形の受部１２を、またこの小飛入口１１の背後に受枠１３を取付け、更にこの受枠１３の内部に前記受部１２に飛入する入賞球によって転動する可変扉１４を備える。
一方、前記箱枠体９の内部には上下に揺動するステージ板１５とこのステージ板１５の下方に設けられる第２ステージ板１６、及びステージ板１５の後方に設置される振り分け部材１７が組込まれる。
尚、ここにおける上記箱枠体９は、後述するように本発明の第１の入賞口（飛入口）を構成し、また前記小飛入口１１は第２の入賞口（飛入口）を構成することになる。          
【００３７】
前記箱枠体９は、取付板７の開口部８の形状に合せて前面を開放した箱形に形成してあり、前面の開口部１８の上下左右の四隅に透孔１９を形成し、この透孔に通すビスを取付板７のネジ受部２０にねじ込むことによって一体に止着される。
一方、前飾り枠１０は取付板７の透孔２１を通してこの前飾り枠１０の背面に設けるネジ受部２２にビスをねじ付けることで止着され、取付板７の前面から突き出た状態に取付く。
【００３８】
上記前飾り枠１０は、頂部に飛入口２３を有し、この飛入口２３を取付板７の孔２４を通して箱枠体９の頂部に設ける球通路２５に連通し、また、左右対称の位置に前記箱枠体９の内部、つまり入賞室２６に打球を通す飛入口２７，２７を開設し、更に下方には特定入賞口２８を中央に置いてその左右に普通入賞口２９，２９を置き、これらの入賞口を横一列に配置する。
【００３９】
前記ステージ板１５は、箱枠体９の入賞室２６の高さの略中間の位置に水平な状態で収められる。このステージ板１５は前縁部１５ａの両端を支軸３０，３０を介して上下方向に揺動自由に支持され、ここでは前縁部１５ａの両端に上記支軸３０，３０を植設し、この支軸を前記前飾り枠１０の高さの途中に形成する溝３１，３１に嵌め付けて支持されている。
この支軸３０，３０は、前記箱枠体９の左右の側壁部に枢着してステージ板１５を揺動自由に支持してもよいが、この実施例では実質的に箱枠体９の一部となる前記前飾り枠１０を支軸３０，３０の支持体として選択し、取付板７を間に置いてその前面と後面から添わせる箱枠体９と前飾り枠１０の取付けを利用してこの支軸３０，３０を軸承する構造を採用している。
【００４０】
つまり、ここでは前述の様に前飾り枠１０に形成する溝３１，３１に後方から支軸３０，３０を挿入し、次に箱枠体９の前縁部から突き出す片３２，３２を差し込んで各溝３１，３１の前端部と片３２，３２の先端との間で支軸３０，３０を挟んで固定してあり、取付板７に対して箱枠体９及び前飾り枠１０を前述の様にビス止めすることで支軸３０，３０を安定的に固定している。
【００４１】
上記ステージ板１５は、上面の前半部に左右対称の浅い誘導凹部３３ａ，３３ａを形成し、後半部に半円弧状をなす段差を設けた後縁部１５ｂに向って徐々に深くなる誘導凹部３３ｂを形成する。そして、この後縁部１５ｂに横に貫通する透孔３４を穿ってこの透孔３４に連結軸３５を挿通し、その両端を後縁部１５ｂの左右両端から突き出るようにしている。
この連結軸３５はステージ板１５を上下に揺動するための動力源となる駆動機構３６に連結するためのものであり、駆動機構３６に組込まれる減速装置付きモータ３７によって作動されるようにしてある。
【００４２】
上記駆動機構３６は、金属板を曲折し形成したフレーム３８を中心に組立てあり、図１２乃至図１４に示したようにフレーム３８の外側に固定したモータ３７の駆動軸３９に設けるギヤ４０を第２駆動軸４１のギヤ４２に噛合し、この第２駆動軸４１を回転するようにしてあり、この軸４１の両端に軸着するカム板４３，４３を回転するようにしてある。
【００４３】
カム板４３，４３は、前記フレーム３８に軸承する回転軸４４の両端に固定する揺動板４５，４５の滑合台４６に滑合し、カム板４３，４３の回転によって滑合台４６を上下動させ、前方に突き出す揺動腕４７を上下に揺動するようにしてある。
上記左右の揺動腕４７，４７は前端に長孔４８，４８を穿ち、この長孔に前記連結軸３５の軸端を滑合させて前記ステージ板１５と連結してあり、前記揺動板４５，４５の揺動運動がこの連結軸３５を介してステージ板１５に伝えられるようにしてある。
尚、減速装置付きのモータ３７は徐回転することによって前記カム板４３，４３をゆっくり回転させ、揺動板４５によるステージ板１５の揺動をゆっくり行うことになる。
【００４４】
上記駆動機構３６は、フレーム３８の前縁部に設ける取付片４９を箱枠体９の背面板９ａに添わせ、孔５０に通すビスをネジ受部５１にねじ付け、更に孔５２に通すビスを箱枠体９の背面から突出するネジ受ボス５３にねじ付けることによって一体に固定される。
【００４５】
図中、５４は上記モータ３７によって振り分け部材１７を駆動するため前記駆動機構３６内に軸承した回転軸であり、５５はこの回転軸５４に軸着し、前記ギヤ４０に噛合させたギヤであり、５６は振り分け部材１７を押上げるため回転軸５４に軸着したカム板である。
【００４６】
振り分け部材１７は、ここではペンギンの形態に形成してある。２本の脚を下方に突き出し、この２本の脚の間にパチンコ球の直径を超える間隔を設けて仕切り突起部１７ａ，１７ａとしている（図１５〜１７参照）。
この振り分け部材１７は、背面部から止めボス５７を突き出し箱枠体９の背面板９ａに形成する縦長の案内孔５８を通して後方に突き出し、この止めボス５７の後端部に滑合部材５９を固定して上記背面板９ａに取付くようにしてあり、上記縦長の案内孔５８の長さの範囲において上下方向に移動することができるようにしてある。
【００４７】
上記滑合部材５９は後方に向けて腕６０を水平に延ばし、この腕を前記回転軸５４に軸着するカム５６の上に滑合載置し、振り分け部材１７の重量を受けて常時接触させて支える構造にしてある。
従って、前記モータ３７の駆動によって回転軸５４が回転し、カム板５６が回転すると、滑合部材５９が上下動し、振り分け部材１７が上下動することになる。
【００４８】
ところで、上記振り分け部材１７は図示するようにステージ板１５の後端部１５ｂの直上に位置し、最下降位置（図１５，１６を参照）にあるとき、仕切り突起部１７ａ，１７ａを上記後端部１５ｂに最接近させることになり、この後端部１５ｂの横幅全体を３分割し、入賞球Ｐの通過路を３つのルートに分けることになる。また、最上昇位置（図１７を参照）に達したときには、上記突起部１７ａ，１７ａをステージ板１５の後端部１５ｂから離して上記３分割状態を解消することになる。
【００４９】
一方、前記第２ステージ板１６は、緩く湾曲した底部６１の両側部から側壁６２，６２を起立し舟形に形成した枠体の内部に波形に形成した上下二段の振り分け台６３，６４を前後にずらして配置し、形成してある。
この第２ステージ板１６は前記箱枠体９の内部に前方から嵌め入れ、前記側壁６２，６２の後端部を箱枠体９に設ける取付部６５，６５に当接し、この取付部に通すビスのねじ付けによって箱枠体に一体に組付けてある。
【００５０】
この第２ステージ板１６は、上記組付けによって前記ステージ板１５の下方に設置し、ステージ板１５の後端部１５ｂを通して落下する入賞球Ｐを後端部１６ｂに受けることになる。
この第２ステージ板１６に送られた入賞球Ｐは、先ず後方の振り分け台６４上に落下し、この振り分け台６４の山谷によって左右に振り分けられながら前向きの傾斜に沿って前方の振り分け台６３へと誘導され落下し、再び同様の振り分けが行なわれた後、最終的にこの振り分け台６３のいずれかの谷部から前縁部１６ａを越えて前方に向けて転がり落下することになる。
【００５１】
上記第２ステージ板１６の前側に位置する振り分け台６３は、２つの山と３つの谷を有し、この３つの谷を前記特定入賞口２８と普通入賞口２９，２９に臨むようにしてある。
即ち、箱枠体９は取付板７の背面側に固定したとき、取付板７の開口部８の下方に３個揃えて形成する穴６６の上方に上記振り分け台６３の３つの谷が臨むようにしてある。
一方、この取付板７の前面側に固定される前記前飾り枠１０がこれに設ける特定入賞口２８と左右の普通入賞口２９，２９を上記穴６６に連通するようにして前記箱枠体９と前飾り枠１０を取付板７に取り付けたとき、自動的に振り分け台６３の３つの谷が特定入賞口２８と普通入賞口２９，２９とに臨んで向い合い連通するようにしてあるのである。
【００５２】
以上の構成から、ステージ板１５から第２ステージ板１６に落下した入賞球Ｐは前後の振り分け台６４，６３を次々と通過することによって振り分けられ、下段の振り分け台６３のいずれかの谷部に入った入賞球Ｐは、その前方に開口する特定入賞口２８又は普通入賞口２９に入賞することになる。
上記特定入賞口２８と普通入賞口２９に入賞した入賞球は、それぞれの開口部に設置するスイッチ６７，６８によって検出され、更に取付板７の下端に前記穴６６に連続させて設ける樋形の誘導路６９，７０に誘導される。この内、普通入賞口２９に受けられ誘導路７０に通される入賞球はそのまゝ入賞装置の外に放出され、特定入賞口２８に入賞した球は誘導路６９を通って前記箱枠体９の背後に備える後述する連動機構７１へと誘導されることになり、取付板７の両翼片部７ａ，７ａに設ける前記小飛入口１１に設置するロック機構７２を作動することになる。
【００５３】
次に、以上の構成において、遊技盤１の遊技部４に設置された入賞装置３に対して入賞球Ｐが飛入し、この入賞球Ｐが前記特定入賞口２８若しくは普通入賞口２９に達するまでの過程を各部の作動と共に説明すると、先ず遊技部４に打出された球Ｐは、遊技盤１の前面に突き出す前飾り枠１０の飛入口２７に達することで、箱枠体９の内部、つまり第１の入賞室となる部屋２６に飛び込むことになる。
このとき、入賞球Ｐは飛入口２７に設置するスイッチ２７ａによって通過を検出され、図示しない主制御装置に検出信号が送られ、図示しない賞球払出装置から遊技者に向けて賞球が払い出されることになる。
【００５４】
入賞室２６に飛入した入賞球Ｐ（以下、単に「球Ｐ」と記す。）は、前記ステージ板１５の前縁部１５ａに近い上面に落下し、ステージ板１５が静止状態にあるときには、そのまゝ滞留するか、傾斜に従って上面を転がり移動することになる。
このとき、球Ｐは誘導凹部３３ａ，３３ａに誘導されて溝の底に向かって転がり、更にステージ板１５が後傾姿勢に傾くときには、これに誘導されて後方の誘導凹部３３ｂへと流されると共に、後縁部１５ｂに向けて転がることになる。
【００５５】
このときの球Ｐの転がりは、上記誘導凹部３３ａ，３３ｂの溝の深さに影響されて底に向けて転がることになるが、ステージ板１５の傾き加減によって凹部の底に達する以前に後縁部１５ｂに向けて直線的に転がることもあり、様々な転がりを展開することになる。
この転がりの変化は、球Ｐの振り分けを実行するものであり、後縁部１５ｂの不特定の位置から落下して次に備える前記第２ステージ１６へと誘導されることになる。
【００５６】
このステージ板１５は静止状態において球Ｐを転がす一方、駆動機構３６による揺動によって傾きが変えられることによって、上記球Ｐの転がり速度を変え、更にはこの揺動運動に振り分け部材１７の上下運動が加わることによって更に複雑な変化が付与されることになる。
【００５７】
図１５から図１７は、ステージ板１５とこれを揺動する駆動機構３６、及び振り分け部材１７との連動関係を説明し、入賞球Ｐの動きを解説したものである。
図１５（Ａ），（Ｂ）は、駆動機構３６のカム板４３の突起部４３ａが下向きに位置して滑合台４６を押し下げ、軸４４を支点に揺動腕４７を跳ね上げ、これによってステージ板１５をやゝ前下り状態にした場合で、ステージ板１５上の球Ｐはやや前縁部１５ａ側に転がり誘導凹部３３ａ，３３ｂの底部に流れてここに止まることになる。
【００５８】
この状態において、振り分け部材１７はカム板５６の突起部分が下向きにあるため、最下降位置にあって仕切り突起部１７ａ，１７ａをステージ板１５の後縁部１５ｂに接近させ、球Ｐの落下ルートを３つに分割する。
尚、ステージ板１５上の入賞球Ｐは凹部３３ａ，３３ｂの底に流れることによってこの状態では後縁部１５ｂに向けて流れることはない。
【００５９】
図１６（Ａ），（Ｂ）は、駆動機構３６のモータ３７の駆動によってカム板４３が回転し、突起部４３ａが上向きになることによって揺動板４５の滑合台４６が上がり、これに伴ってステージ板１５が後傾姿勢を強めた場合を示す。
このとき、ステージ板１５上に落下した球Ｐは、誘導凹部３３ａ，３３ｂを誘導されながら後縁部１５ｂに向けて転がり、第２ステージ１６へと落下することになる。
そして、このとき振り分け部材１７はカム板５６の突起部が下向きの状態にあることから下降姿勢にあって突起部１７ａ，１７ａをステージ板１５の後縁部１５ｂに近付け、３つのルートに仕切った状態を維持することになる。
【００６０】
次に、図１７（Ａ），（Ｂ）は、カム板４３の突起部４３ａを上向きにして揺動板４５の滑合台４６を上げ、ステージ板１５を後傾斜の状態に保持したまゝカム板５６の突起部を上向きにして滑合部材５９の腕６０を押し上げ、振り分け部材１７を上昇させた状態を示している。
この振り分け部材１７の上昇によって突起部１７ａ，１７ａはステージ板の後縁部１５ｂから上昇し離れて３つのルートの分割状態が解除され、入賞球Ｐは単にステージ板１５による振り分けに従って転落することになる。
【００６１】
ここで、揺動板４５に連結するステージ板１５と振り分け部材１７とは駆動機構３６に備えるカム板４３，５６を介して１つのモータ３７によって駆動される構造にしてあることから、連動する関係に置かれるが、各カム板４３，５６は間に介挿するギヤ４０，４２，５５の比率を変えることで異る回転にしてあり、これによってステージ板１５の揺動と振り分け部材１７の上下動が同調しないようにして、振り分けの変化を更に複雑なものにしてある。
尚、ステージ板１５の揺動運動と振り分け部材１７の上下動を同期させることを妨げるものではなく、またこれらの動力源、つまりモータ３７を別にして駆動系統を独立させ個別に作動させることを妨げるものでもない。
【００６２】
上記ステージ板１５の後縁部１５ｂを落下した球Ｐは、次に第２ステージ板１６の後縁部１６ｂに受けられ、前述したように２段の振り分け台６４，６３を通して左右に移動し振り分けられながら前縁部１６ａに沿って横に並ぶ特定入賞口２８，普通入賞口２９のいずれかに入賞し、ここでスイッチを通過して検出され、誘導路６９，７０のいずれかに送られることになる。
【００６３】
前記連動機構７１は、上記特定入賞口２８に入賞して誘導路６９に導かれる入賞球Ｐを受け入れ、この球の重量で前記小飛入口１１‥‥に組み込まれるロック機構７２を作動するものであって、前記特定入賞口２８に入賞した入賞球Ｐを利用して他の入賞口、ここでは第２の入賞口である小飛入口１１を閉じるゲートを解放し、これによって入賞の機会を増やして賞球放出数を増加するための手段として組込まれたものである。
言い換えると、この連動機構７１は、第１の入賞口に相当する前記入賞室２６若しくは前記特定入賞口２８に入賞した球Ｐの重量を利用して第２の入賞口たる前記小飛入口１１を閉塞する可変扉１４、即ち、可変扉を開放してこの小飛入口１１に対する打球の入賞を可能にする手段であって両入賞口を連動する装置として介挿されている。
【００６４】
次に、この連動機構７１について更に詳述することにする。
連動機構７１は、前記誘導路６９からの入賞球Ｐを受けてその重量によって下降する昇降台７３と、この昇降台７３の上下動をゲート（可変扉１４）のロック機構７２に伝える連動杆７４から構成される。
上記昇降台７３は、前記箱枠体９の背面板９ａの背面部に止着するカバー７５に収めてこのカバー７５の内部を上下方向に摺動するようにしてある。
【００６５】
上記カバー７５は、昇降台７３の案内手段であって側面から見て略Ｌ字形に形成してあり、上半の縦の部分７５ａを前記背面板９ａに添わせ、孔７６に通すビス（図示せず）で固定し、下半の横の部分７５ｂを前記誘導路６９の後端に臨ませる（図２０を参照）。
一方、昇降台７３は上部縦長の部分７３ａを前記カバー７５の縦の部分７５ａに上下方向に摺動自由に嵌め入れ、下半の横の部分７３ｂを前記カバーの横の部分７５ｂに収めてあり、更に前記カバー７５を固定するビスを縦の部分７３ａに形成する縦長孔７７に通して昇降台７３がこの縦長孔７７の長さの範囲で上下に移動できるようにしてある。
【００６６】
上記昇降台７３は、下半の横の部分７３ｂに前方に向けて球入口を開口する球受部７８を備え、昇降台７３が上昇位置、つまりカバーの固定用ビスが縦長孔７７の下端に当接するとき、前記誘導路６９の後端に臨んで連通し、この誘導路６９を通して送られる入賞球Ｐをこの球受部７８に受け入れられるようにしてある。
【００６７】
尚図示するようにここでは前記連動杆７４は、左右対称状に一対宛備えてある。各連動杆７４は、長さの途中に設ける軸着用の中空軸７９を前記取付板７の背面に設ける軸受部８０に支軸８１を介して回動自由に軸着し、それぞれ左右の両端が上下に揺動できるようにしてある。
そして、内側の端部、つまり内端に軸部８２を突設し、この軸部８２を前記昇降台７３に横向きに形成する連結用の長孔８３に滑合させ連結し、また外側の端部、つまり外端にバランスを取るための重錘ピン８４を孔８５に嵌め込んで取り付け、更にこのピンの先端を後述するロック機構７２の係止部材８６に係合するようにしてある。
【００６８】
上記バランスを取る重錘ピン８４は、前記昇降台７３に入賞球Ｐが無いとき、連動杆７４の外端を下げ、また前記球受部７８に入賞球Ｐが入ったとき、上昇して前記係止部材８６を押上げるものとなっている。
つまり、この重錘ピン８４は昇降台７３に入る入賞球Ｐの有無に関係して連動杆７４を揺動するものであり、昇降台７３が上昇位置にあって球受部７８に入賞球Ｐが入り、この球Ｐの重量を受けて下降に転じると、支軸８１を支点に揺動し、重錘ピン８４側の外端を跳ね上げて係止部材８６を押上げ、ゲートとなる可変扉１４を解放するのである。
【００６９】
図２７乃至図３６は連動機構７１の連動杆７４の揺動に伴ってロック機構７２の小飛入口１１を開閉する可変扉１４の作動を説明する解説図である。以下、これらの図面を中心に連動杆７４とロック機構７２との関係を説明することにする。
尚、本実施例では取付板７の左右の翼片部７ａ，７ａに２個づつの小飛入口１１を左右対称となるように開設し、それぞれの小飛入口１１に受部１２と枠部１３、そして可動扉１４を備え、更にこの可変扉１４の自由な動きを制御する前記係止部材８６をそれぞれ１個づつ備えるものとしている。
【００７０】
小飛入口１１に備えられる可変扉１４は、前後方向に長さを有する矩形の肉厚の板として形成してあり、その長さの略中央部に左右に貫く軸受孔８７を穿ってこの軸受孔８７に支軸８９を通し、受部１２の後縁から突き出す軸受部９０，９０に軸承させて回転自由に支持している。
上記受部１２は、打球を受けるポケットの役割をもっており、前面の板部１２ａの左右両側から後方に向けて側壁１２ｂを対向状に延設し、この側壁１２ｂに前記軸受部９０を備えている。そして、この側壁１２ｂの後縁を取付板７の前面に当接し、ねじ止めすることで取付板７の翼片部７ａの前面に取付き小飛入口１１の前方を被うことになる。
【００７１】
可変扉１４は、この受部１２を取付板７に取付ける前に軸受部９０，９０に支軸８９を軸着して、小飛入口１１内に持込み、受部１２の取付けを利用してこの小飛入口１１に取付けるようにしている。
上記受部１２は取付いた状態において、取付板７との間に入賞球Ｐを通す筒状をなす上下の空間を確保し、この空間内に向けて前記可変扉１４の前端部を受け入れられるようにしてある。
【００７２】
そして、この可変扉１４は、前記軸受孔８７の前方に重錘９１を埋設することで常に前方に転倒するようにバランスを取っており、後端部には可変扉１４の上面に受けてその勾配に従って後方に転がる入賞球Ｐを受ける突片９３を立ち上り状に備えている。
尚、この可変扉１４は、図３９に示したように支軸８９を支点に前端部を跳上げたとき小飛入口１１を閉ざし、これに伴って受部１２を筒状に開放して上方からの飛入する打球をそのまゝ通過させることになり、また、図４０に示したように可変扉１４が水平に転倒したときには、後端部の突片９３を受枠１３から突出するストッパー９４に当接して水平姿勢に保持し、この状態において小飛入口１１を開放する。同時に、可変扉１４の前端部を受部１２の内部に突き入れて上方からの打球の受け取りを可能にし、この球を上面を転がして受枠１３の内部に持ち込むことができるようにしてある。
【００７３】
可変扉１４に埋設する重錘９１は、可変扉１４が水平姿勢（図４０を参照。）にあるとき、また跳上がって起立姿勢（図３９を参照。）にあるとき、それぞれの姿勢に安定させるためのものであり、更に水平姿勢にあるときには前記ストッパー９４と突片９３との衝合によって前倒れ状態とならないよう確実に支持され、また前記起立姿勢に変換したときには前記係止部材８６が可変扉１４に係合して任意に水平姿勢に変換するのを阻止することになる。
【００７４】
次に、図中９５は、可変扉１４の軸受孔８７の位置より後方の一側縁に沿って起立したロック機構７２の構成体の一つである係合片である。
この係合片９５は前縁部９５ａを可変扉１４の上面に対して直角に起立し、この前縁部９５ａの上端から後方に弧状縁９５ｂを形成して全体として扇状にしてあり、前記可変扉１４が起立姿勢にあるとき、上記前縁９５ａにロック機構７２の構成体の一部である係止部材８６を掛け止め、水平姿勢への変換を阻止するようにしてある。
【００７５】
上記係止部材８６は略Ｌ字形をなし、長さの中央の屈曲部に設ける軸受部９６に翼片部７ａの背面に植設する支軸９７を通して回動自由に枢着してある。そして、一端には前記ピン８４に滑合する湾曲した揺動腕９８を備え、他端には前記可変扉１４の係合片９５に係合する係止片９９を備える。
この係止部材８６は支軸９７によって軸承され、前記揺動腕９８を連動杆７４の先端に設ける前記重錘ピン８４を跨ぐように臨ませ、他端の係止片９９を可変扉１４の後部側面に臨ませて係合片９５に常に接触するようにしている。
【００７６】
つまり、係止部材８６は支点となる屈曲部を境にして長く延び出る揺動腕９８が他方の係合片９５側より重量が大になるようにしてあり、支軸９７を中心にして揺動腕９８側が常に下降するようにバランスを取っている。これによって下向きに突き出す係止片９９が可変扉１４の係合片９５に向けて突き出すように付勢されているのである。
【００７７】
尚、この実施例では隣接して設けられる２つの小飛入口１１，１１にそれぞれ可変扉１４，１４を備え、左右に揃えて並べることから、この両可変扉１４，１４の中間位置に連動杆７４の一つの重錘ピン８４を臨ませ、このピン８４に向けて左右から各係止部材８６，８６の各揺動腕９８を架け渡すようにして左右の係止部材８６，８６が左右方向から対称に臨むようにしてある。
そして、この関係は左右の翼片部７ａ，７ａに形成するそれぞれ対をなす小飛入口１１，１１においても同一のものにしてあり、左右それぞれにおいて２つの係止部材８６，８６がそれぞれ１本の重錘ピン８４を挟んで左右から揺動腕９８，９８を延ばし、滑合するようにしてある。
【００７８】
本発明におけるロック機構７２は、上述の様に係止部材８６と可変扉１４に形成する係合片９５によって構成され、係合片９５と係止部材８６の係止片９９との係合関係によって可変扉１４の回動が規制され、開閉動が制御されるようになっている。
次に、この関係を昇降台７３，連動杆７４を含む連動機構７１の動作を伴わせて更に詳述する。
【００７９】
前述したように、入賞室２６を通して特定入賞口２８（第１の入賞口）に転入した球Ｐは、誘導路６９を通して後方に待機する昇降台７３の球受部７８に入ることになる（図２０を参照）。
昇降台７３は、左右に延びる２つの連動杆７４，７４の先端に備えるピン８４，８４とバランスして、球Ｐを受け取らない状態では支軸８１，８１を支点とする連動杆７４の押し上げによって上昇位置にあり（図１８、図２１を参照）、球受部７８の前方に向いた球入口１００ａを前記誘導路６９に臨ませることになる。
そして、この球受部７８に球Ｐが転入し、受け入れると（図２０を参照）、前記重錘ピン８４，８４を押上げながら自らは下降し、最下降位置に達したとき、この球Ｐをカバー７５の下端を通して球受部７８の後部に開設する球出口１００ｂから系外に放出することになる（図２５を参照）。
尚、この球Ｐの放出に伴って重量を落すことになる結果、昇降台７３はピン８４，８４の重量を受けて再び上昇し、次の入賞球のため待機することになる。そして、左右の連動杆７４，７４は重錘ピン８４，８４を下降位置に戻し、復元することになる。
【００８０】
この昇降台７３の下降による連動杆７４の先端に設けられる重錘ピン８４，８４の上昇は、このピン８４に滑合する係止部材８６，８６の各揺動腕９８，９８を上昇させることになり、それぞれの支軸９７を支点に係止部材８６，８６を傾けて他端の係止片９９，９９を可変扉１４，１４の係合片９５，９５から離すことになる（図３０、図３１を参照）。
これによって自由になった可変扉１４は、その重錘９１の重量を受けて支軸８９を支点に前方に向けて転倒し、後端の突片９３をストッパー９４に当接させ、姿勢を安定させると共に、前端部を受部１２の内部に突き出して小飛入口１１を開放することになる（図３７を参照）。
【００８１】
つまり、図３１〜図３３及び図４０は可変扉１４が水平姿勢にある状態を示しており、このとき小飛入口１１は開放した状態になる。尚、図３１〜図３３は可変扉１４が水平姿勢にあるときの連動機構７１の連動杆７４とロック機構７２の係止部材８６の関係を説明するものである。
次に、この状態において受部１２に打球Ｐが飛入すると、球Ｐは可変扉１４の前端部に受け止められ、この上面の傾斜に誘導されて小飛入口１１を通って可変扉１４の後端部に移り、突片９３に止められると同時に、この球Ｐの移動によって可変扉１４の重心が後端部に移動するため、可変扉１４は支軸８９を支点に後向きに転倒し、起立姿勢に変換することになる（図３６を参照）。
【００８２】
図２７〜図３０及び図３９は可変扉１４の起立姿勢時を示しており、可変扉１４の前端部の跳ね上りによって受部１２は内部を上下に貫通させた状態になり、同時に小飛入口１１は閉ざされることになる。
従って、この状態において受部１２に飛入した打球Ｐは受部の中空部を通過し、そのまゝ遊技部４に戻され、その他の入賞口５に向けて落下することになる。
尚、上記受部１２は、図示するように前面の板部１２ａに窓を開設して小飛入口１１の前面を開放し、この小飛入口の内部で回動する可変扉１４を覗けるようにして遊技者が可変扉１４の姿勢変換を視認できるようにするとよい。
【００８３】
一方、この可変扉１４の起立姿勢への変換に当って係合片９５の外側面に接触していた係止部材８６の係止片９９は上記係合片９５が可変扉１４の後端部の下降によって下に退くため自由になり、可変扉１４側に支軸９７を支点にして突き出すことになる。
前述したように、連動杆７４の重錘ピン８４は昇降台７３から入賞球Ｐが放出されると、昇降台単独の重量より重くなるので下降位置に直ちに復帰することになる。この結果、前記係止部材８６は揺動腕９８を空中に突き出した状態になる。
このようなことから、係止片９９が支えを失うと、係止部材８６は支軸９７を支点に重量の重い揺動腕９８を降下させることになり、係止片９９を可変扉１４側に突き出すことになる。
【００８４】
上記係止片９９は先端の縁１０１を弧状に形成してあり、可変扉１４が跳上ると、この先端の縁１０１を係合片９５の前縁部９５ａに滑らせるようにして可変扉１４側に突き出すことになり（図２９を参照）、この先端の縁１０１の一端に突設する突起１０２を受枠１３の側面に衝合させて上記突き出し量が規制されることになる。
【００８５】
可変扉１４と、この可変扉１４を制御する係止部材８６は対をなしており、隣接するものとは無関係にして独立して作動するものとなっている。従って、隣接して設けられる２つの小飛入口１１、１１における各可変扉１４、１４は、打球の飛入があった方の可変扉１４だけが水平姿勢から起立姿勢に変換し、その小飛入口１１を閉ざすことになり、他方の可変扉１４は開放したままの状態に残されることになる。
図３５，図３６はこの状態を示したものであり、図の中で左方のものは打球が飛入して可変扉１４が起立姿勢に変換し、右方のものは打球の飛入がないことによって水平姿勢を保持した状態を示している。
【００８６】
この状態において、左方の可変扉１４は後端部を下げることによって係合片９５が下り、その側面に当接していた係止片９９が支えを失うことによって可変扉１４側に揺動腕９８の重量を受けて突き出すことになり、これに伴って係合片９５の前縁部９５ａに係止片９９の弧状の縁１０１が滑合し、重錘９１の重量を受けて水平姿勢に戻ろうとする可変扉１４をロックすることになる。
【００８７】
可変扉１４の後端部に突設した突片９３は、可変扉１４が起立姿勢に変換するまで上面に受けた入賞球Ｐが落下しないように保持する役目をもち、可変扉１４が確実に起立し、同時に前記係止片９９が係合片９５をロックしたとき、球Ｐは突片９３の傾斜に従って受枠１３の後壁下端に設ける出口１０３（図３９参照）から放出されることになる。
一方、可変扉１４を起立姿勢にロックした係止部材８６は、係止片９９が支えを失うことによって重量の大な揺動腕９８を支軸９７を支点に下げ、先に下降位置に待機する連動杆７４の重錘ピン８４の上に重なり、次の押し上げに備えることになる。
【００８８】
この様にして左方の小飛入口１１における可変扉１４及び係止部材８６の動きに対して、未だ打球の飛入のない右方の小飛入口１１の可変扉１４と係止部材８６は打球の飛入に備えて可変扉１４を水平姿勢に保持したまゝにあり、次に受部１２に打球の飛入があったとき、前述した左方の可変扉１４及び係止部材８６と同一の動きを通して可変扉１４をロックし、係止部材８６の揺動腕９８を重錘ピン８４の上に重ねることになる。
【００８９】
ところで、本実施例では左右の翼片部７ａ，７ａに各２個づつの小飛入口１１並びに受部１２を備え、これらの小飛入口１１に対して昇降台７３に連結した２本の連動杆７４，７４の各外端を伸してそれぞれの重錘ピン８４を前述するように小飛入口１１を開閉する可変扉１４と係止部材８６に関係付ける構造としたことから、特定入賞口２８を通して昇降台７３に入賞球Ｐが受け入れられると、この昇降台の下降に伴って前記ピン８４，８４が上昇し、４個全ての係止部材８６の揺動腕９８が押上げられることになる。そのため、それぞれの係止片９９が係合片９５から離れることになる結果、可変扉１４のロック状態が解除され、各可変扉１４はその重錘９１による重心の偏在によって起立した状態から水平姿勢に変換し、４個全ての小飛入口１１を開放することになる。
それと同時に、各小飛入口１１は打球が飛入することにより個別に可変扉１４を回転させて小飛入口１１を閉塞すると共に、可変扉１４を前述のように係止部材８６によって起立姿勢にロックすることになる。
【００９０】
尚、図中の符号１０４は前記飛入口２７及び特別乃至普通入賞口２８，２９に装着した検出スイッチ６７，６８，２７ａの中継基板であり、１０５はこの中継基板１０４を固定するための取付枠である。そして、１０６及び１０７は各種の演出に合せて点滅させるＬＥＤを前面に多数備えたＬＥＤ基板である。
【００９１】
以上説明するように、本発明に係る入賞装置は、第１の入賞口に当る前記入賞室２６に飛入した入賞球Ｐを受け取ることによって下降し、また放出することによって上昇する昇降台７３と、この昇降台７３の上下動によって支軸８１を支点に揺動し、外端に備える重錘を兼ねたピン８４を上下動させる連動杆７４とを備える連動機構７１を内臓するもので、前記第１の入賞口に入賞する球Ｐの重量を受けて第２の入賞口である個々の小飛入口１１に備える可変扉１４を開放することができるものとなっている。
そして、上記連動杆７４によって作動される係止部材８６は、連動杆７４に滑合し連結する揺動腕９８の重量によって係止部材に一体に備える係止片９９を可変扉１４の係合片９５に押付け、常時係合可能な状態に付勢されることから、可変扉１４が起立して前記小飛入口１１を閉じたときには直ちに上記係合片９５を係合して可変扉１４を起立姿勢に拘束することができる。
【００９２】
その一方、第１の入賞口に打球が飛入して前記連動杆７４が揺動し、係止部材８６の揺動腕９８が跳ね上げられると、係止片９９が係合片９５から外れ、可変扉の拘束を解いて開放する水平姿勢に直ちに変換することができる。
そして、この拘束を解いた係止部材８６は、可変扉１４が入賞球を受けて起立姿勢に変換しない限り係止片を係合片に係合することがないと同時に、この可変扉１４が起立姿勢に変換するまで常時係合拘束体勢に備えられることから可変扉の姿勢変換に対して直ちに対応することができるものとなっており、従って迅速な制御が行われるよう準備されると共に、正確な作動が確保されることになる。
【００９３】
この様な動作に加えて、本発明の入賞装置は、第２の入賞口となる飛入口に対して前記可変扉１４が前端部を前後に回動させて出没することから飛入口の開閉を明確に表現することができ、遊技者に飛入口の開閉状態とその変換に伴う変化を明らかにし、安心感を与えることができる。
更に本発明は、１つの連動杆によって複数の第２の入賞口を同時に且つ個別に操作できることから極めて変化のある開閉を実現することができ、遊技者を楽しませることができる。
【図面の簡単な説明】
【００９４】
【図１】本発明に係る入賞装置の使用状態を説明する正面図。
【図２】正面側から見た入賞装置の斜視図。
【図３】背面側から見た入賞装置の斜視図。
【図４】正面側から見た入賞装置の分解斜視図。
【図５】背面側から見た入賞装置の分解斜視図。
【図６】図４の前半部分の斜視図。
【図７】図４の後半部分の斜視図。
【図８】図５の前半部分の斜視図。
【図９】図５の後半部分の斜視図。
【図１０】入賞装置の箱枠体とその内部に収められる振り分け部材、ステージ板、第２ステージ板の関係を示す正面図。
【図１１】図１０の斜視図。
【図１２】駆動機構の正面側から見た斜視図。
【図１３】駆動機構の背面側から見た斜視図。
【図１４】駆動機構の本体部分の斜視図。
【図１５】（Ａ）ステージ板が水平な状態にあり、振り分け部材が下降位置にあるときの入賞球の転がりを説明する斜視図。              （Ｂ）ステージ板が水平な状態にあり、振り分け部材が下降位置にあるときの入賞球の転がりを説明する右側面図。
【図１６】（Ａ）ステージ板が後傾した状態にあり、振り分け部材が下降位置にあるときの入賞球の転がりを説明する斜視図。              （Ｂ）ステージ板が後傾した状態にあり、振り分け部材が下降位置にあるときの入賞球の転がりを説明する右側面図。
【図１７】（Ａ）ステージ板が後傾した状態にあり、振り分け部材が上昇位置にあるときの入賞球の転がりを説明する斜視図。              （Ｂ）ステージ板が後傾した状態にあり、振り分け部材が上昇位置にあるときの入賞球の転がりを説明する右側面図。
【図１８】取付板に対する連動機構とロック機構の関係を示す背面図。
【図１９】図１８の斜視図。
【図２０】図１８の拡大中央縦断左側面図。
【図２１】昇降台が上昇位置にあり、連動杆の外端に備えるピンが下降位置にある状態を説明する背面図。
【図２２】図２１の斜視図。
【図２３】図２１の拡大中央縦断左側面図。
【図２４】昇降台が下降し、連動杆の外端に備えるピンが上昇してロック機構のロック状態を解除した状態を説明する背面図。
【図２５】図２４の拡大中央縦断左側面図。
【図２６】連動機構を構成する昇降台と連動杆の分解斜視図。
【図２７】連動杆のピンが下降位置にあって起立姿勢にある可変扉をロックした状態を説明する拡大正面図。
【図２８】図２７の斜視図。
【図２９】図２７の背面図。
【図３０】図２９の斜視図。
【図３１】連動杆のピンが上昇位置にあって可変扉のロック状態を解除したことに伴って可変扉が水平に転倒した状態を説明する正面図。
【図３２】図３１の斜視図。
【図３３】図３１の背面図。
【図３４】図３３の斜視図。
【図３５】連動杆のピンが下降位置にあって左方の可変扉が起立してロックされた状態にあり、右方の可変扉が水平姿勢にあってロック解除の状態にあることを説明する正面図。
【図３６】図３５の斜視図。
【図３７】連動杆とロック機構を構成する係止部材、可変扉との関係を説明する正面側から見た分解斜視図。
【図３８】連動杆とロック機構を構成する係止部材、可変扉との関係を説明する背面側から見た分解斜視図。
【図３９】可変扉が起立姿勢にあって小飛入口を閉塞した状態を説明する縦断右側面図。
【図４０】可変扉が水平姿勢にあって小飛入口が開放した状態を説明する縦断右側面図。
【符号の説明】
【００９５】
１                遊技盤
３                入賞装置
４                遊技部
７                取付板
７ａ              取付板の翼片部
８                開口部
９                箱枠体
１０              前飾り枠
１１              第２の入賞口となる小飛入口
１２              受部
１３              受枠
１４              可変扉
１５              ステージ板
１５ａ            ステージ板の前縁部
１５ｂ            ステージ板の後縁部
１６              第２ステージ板
１７              振り分け部材
１７ａ            仕切り突起部
２６              第１の入賞口となる入賞室
２７              飛入口
２８              特定入賞口
２９              普通入賞口
３６              駆動機構
３７              モータ
７１              連動機構
７２              ロック機構
７３              昇降台
７４              連動杆
７５              摺動枠となるカバー
７７              昇降台の上下の移動を案内する縦長孔
７８              球受部
８１              連動杆を揺動自由に支持する支軸
８２              連動杆の内端に設けた連結のための軸部
８３              昇降台に設けた連結のための横長の長孔                          ８４              重錘ピン
８６              係止部材
９５              係合片
９５ａ            係合片の前縁部
９６              係止部材の軸受部
９８              係止部材の揺動腕
９９              係止部材の係止片
【図１】
2007268097.tif 000003
【図２】
2007268097.tif 000004
【図３】
2007268097.tif 000005
【図４】
2007268097.tif 000006
【図５】
2007268097.tif 000007
【図６】
2007268097.tif 000008
【図７】
2007268097.tif 000009
【図８】
2007268097.tif 000010
【図９】
2007268097.tif 000011
【図１０】
2007268097.tif 000012
【図１１】
2007268097.tif 000013
【図１２】
2007268097.tif 000014
【図１３】
2007268097.tif 000015
【図１４】
2007268097.tif 000016
【図１５】
2007268097.tif 000017
【図１６】
2007268097.tif 000018
【図１７】
2007268097.tif 000019
【図１８】
2007268097.tif 000020
【図１９】
2007268097.tif 000021
【図２０】
2007268097.tif 000022
【図２１】
2007268097.tif 000023
【図２２】
2007268097.tif 000024
【図２３】
2007268097.tif 000025
【図２４】
2007268097.tif 000026
【図２５】
2007268097.tif 000027
【図２６】
2007268097.tif 000028
【図２７】
2007268097.tif 000029
【図２８】
2007268097.tif 000030
【図２９】
2007268097.tif 000031
【図３０】
2007268097.tif 000032
【図３１】
2007268097.tif 000033
【図３２】
2007268097.tif 000034
【図３３】
2007268097.tif 000035
【図３４】
2007268097.tif 000036
【図３５】
2007268097.tif 000037
【図３６】
2007268097.tif 000038
【図３７】
2007268097.tif 000039
【図３８】
2007268097.tif 000040
【図３９】
2007268097.tif 000041
【図４０】
2007268097.tif 000042